(57)【要約】【課題】エプロン下方の空間を利用して作業員の作業を容易にすることができるエレベータかごを提供する。【解決手段】エレベータかご７はかご床８と、かご床８に敷居受け１７を介して設けられた敷居１８と、敷居受け１７に設けられたエプロン２９とを備えている。エプロン２９は上部エプロン３０と、下部エプロン３１とからなり、上部エプロン３０と下部エプロン３１はチョウボルト３２とナット３３とにより連結されている。下部エプロンのうちチョウボルト３２とナット３３の近傍に、第１開口穴３６が設けられている。【選択図】  図１
2004244188.tif 000002
【特許請求の範囲】
【請求項１】
エレベータかごにおいて、
かご床と、
前記かご床の前端に敷居受けを介して設けられた敷居と、
前記敷居受けに設けられたエプロンとを備え、
前記エプロンは上下に分割した上部エプロンと下部エプロンとからなり、
前記上部エプロンと前記下部エプロンはチョウボルトおよびナットにより締結され、
前記かご床と前記上部エプロンとは振れ止め部材により連結され、
前記下部エプロンのうちチョウボルト及びナットの締結箇所近傍に、第１開口穴を形成したことを特徴とするエレベータかご。
【請求項２】
前記上部エプロンにチョウボルトに当接するリミットＳＷを設け、
前記チョウボルトをナットから取外した場合、前記リミットＳＷが動作することを特徴とする請求項１記載のエレベータかご。
【請求項３】
前記下部エプロンに横方向に細長く延びる第２開口穴を形成したことを特徴とする請求項１記載のエレベータかご。
【請求項４】
前記敷居受けの側面に前記エプロンを両側方から支持する案内部材を設け、
前記エプロンは上部エプロンと下部エプロンとの間に位置する中間エプロンを有し、
下部エプロンおよび中間エプロンに、横方向に細長く延びる第２開口穴および第３開口穴を各々設け、
下部エプロンおよび中間エプロンは、案内部材に沿って移動可能となることを特徴とする請求項１記載のエレベータかご。
【請求項５】
エレベータかごにおいて、
かご床と、
前記かご床の前端に敷居受けを介して設けられた敷居と、
前記敷居受けに設けられたエプロンとを備え、
前記エプロンは上部エプロンと、下部エプロンと、上部エプロンと下部エプロンとの間に位置する複数の中間エプロンとからなり、
上部エプロン、下部エプロンおよび各中間エプロンは互いに蝶番により連結され、
前記かご床と前記下部エプロンとは振れ止め部材により連結され、
前記下部エプロンのうち振れ止め部材近傍に、第４開口穴を設けたことを特徴とするエレベータかご。
【請求項６】
エレベータかごにおいて、
かご床と、
前記かご床の前端に敷居受けを介して設けられた敷居と、
前記敷居受けに設けられたエプロンとを備え、
前記エプロンは上部エプロンと、下部エプロンと、上部エプロンと下部エプロンとの間に位置する複数の中間エプロンとからなり、上部エプロン、下部エプロンおよび各中間エプロンは互いに摺動自在に連結されるとともに、パンタグラフ機構により駆動され、
前記かご床と前記下部エプロンとは振れ止め部材により連結されることを特徴とするエレベータかご。
【発明の詳細な説明】
【０００１】
【発明の属する技術分野】
本発明は、エプロンを有するエレベータかごに係り、とりわけエプロン下方の空間を利用することができるエレベータかごに関する。
【０００２】
【従来の技術】
従来よりエレベータかごの停止時において着床誤差が大きい場合に、乗客等が昇降路内へ転落しないよう、エレベータかご床の出入口の敷居下部にエプロンが設けられている。
【０００３】
次に図１０および図１１により、従来のエレベータかごのエプロンについて説明する。このうち図１０はエレベータかご７のかご床８の前端部を示している。
【０００４】
図１０において、かご床８の前端部は、かご床８の表面を形成している床仕上材１４と、床仕上剤１４の下部に配設された床材１５と、床材１５の下面に紙面に直交して設けられた複数の床補強１６とを有している。かご床８の最前端部の床材１５の下部に敷居受け１７が設けられ、敷居受け１７の上部に敷居１８が設けられている。また敷居１８の下部に位置する敷居受け１７に、溶接ナット１９とボルト２０を介してエプロン２１が設けられている。さらに最前側の床補強１６の前側に振れ止め部材取付部２２が設けられ、エプロン２１の折り曲げ部２５と振れ止め部材取付部２２とは、ボルト２３を介して取付けられた振れ止め部材２４により連結されている。
【０００５】
図１１は、エプロン２１の斜視図である。図１１において、エプロン２１には、その上部に一列に配置された複数のだるま穴２６と、高さ方向中央部に形成された折り曲げ部２５とが設けられている。また折り曲げ部２５の切欠き部分に高さ方向に長い形状をした貫通穴２７が形成されるとともに、折り曲げ部２５の下部に振れ止め部材２３を連結するため溶接ナット２８が取り付けられている。
【０００６】
【発明が解決しようとする課題】
しかしながら、上記のような従来のエレベータかごでは、近年のバリアフリー化に伴う公共設備、例えば駅舎等へのエレベータ設置の需要が増加する中で、以下のような課題がある。
【０００７】
既存の駅舎にエレベータを増設するという条件より、駅舎エレベータは、最下階が改札口階で最上階がホーム階のような２方向出入口の仕様を有している。最下階と最上階の行程差である階高がきわめて低い場合、作業員が昇降路最下部にあたるピットに入り作業するとき、敷居下部にエプロンがある為に、作業員がピットへ侵入可能な空間が確保されていない。この場合、作業員は敷居１８とエプロン２１の締結部のボルト２０を緩め、またエプロン２１とかご床８を連結している振れ止め部材２４の締結部のボルト２３を取り外し、かご床８からエプロン２１全体を取り外してエプロン２１下方の空間を確保した後にピットに侵入している。
【０００８】
また、最上階にエレベータかごが停止した際、作業員がピットでの作業を完了し、ピットから乗場に出る場合、敷居受け１７に溶接ナット１９が取付けられているので、敷居１８とエプロン２１とを締結しているボルト２０は、乗り場側から容易に取り外すことが出来るが、ピット内から取り外すことが不可能である。その結果、作業員はピットからエプロン２１を取り外すことができず、エプロン２１下方の空間が確保されていない為、作業員は一人でピットから乗場へ出ることが困難である。
【０００９】
このような課題を解決する為、エプロンを上下に伸縮できるような機構として、特開２００２−１７９３６８のダブルデッキエレベータのエプロン階間調整が考えられる。このようなダブルデッキエレベータのエプロンは、上側エレベータのかご床の敷居と、下側エレベータのかご天井に連結され、上下両方のエレベータかごの動作とリンクしているため、エプロンが上下に伸縮でき、階高の違いによるエプロンの高さを調整するものである。しかしながら、この発明は、あくまで上下にエレベータかごにエプロン及び整風板を固設し、エレベータかごを上下駆動装置により移動させてエプロン階間調整を行うものであり、エプロンの高さ調整を行うため、大型の駆動装置を必要としている。
【００１０】
本発明はこのような点を考慮してなされたものであり、エプロンを上下に伸縮できるような大型の駆動装置を必要とせず、乗場側とピット内の両方からエプロン下方の空間を容易に確保でき、安価で作業性を向上することが出来るエレベータかごを提供することを目的とする。
【００１１】
【課題を解決するための手段】
本発明は、エレベータかごにおいて、かご床と、前記かご床の前端に敷居受けを介して設けられた敷居と、前記敷居受けに設けられたエプロンとを備え、前記エプロンは上下に分割した上部エプロンと下部エプロンとからなり、前記上部エプロンと前記下部エプロンはチョウボルトおよびナットにより締結され、前記かご床と前記上部エプロンとは振れ止め部材により連結され、前記下部エプロンのうちチョウボルト及びナットの締結箇所近傍に第１開口穴を形成したことを特徴とするエレベータかごである。
【００１２】
本発明によれば、エプロンを上部エプロンと下部エプロンとに分割したことにより、第１開口穴を介して乗場から、またはピットからチョウボルトを取り外し下部エプロンを容易に取り外すことができ、エプロン下方の空間を確保することができる。
【００１３】
本発明は、前記上部エプロンにチョウボルトに当接するリミットＳＷを設け、前記チョウボルトをナットから取外した場合、前記リミットＳＷが動作することを特徴とするエレベータかごである。
【００１４】
本発明によれば、リミットＳＷを設けたことにより、エレベータかごの不用意な動きに対し、作業員に対する安全性を高めることができる。また、乗場またはピットから下部エプロンを容易に取り外すことができ、エプロン下方の空間を確保することができる。
【００１５】
本発明は、前記下部エプロンに横方向に細長く延びる第２開口穴を形成したことを特徴とするエレベータかごである。
【００１６】
本発明によれば、第２開口穴を利用し、下部エプロンの取り外し作業を容易にすることができ、乗場またはピットから下部エプロンを容易に取り外して、エプロン下方の空間を確保することができる。
【００１７】
本発明は、前記敷居受けの側面に前記エプロンを両側方から支持する案内部材を設け、前記エプロンは上部エプロンと下部エプロンとの間に位置する中間エプロンを有し、下部エプロンおよび中間エプロンに、横方向に細長く延びる第２開口穴および第３開口穴を各々設け、下部エプロンおよび中間エプロンは、案内部材に沿って移動可能となることを特徴とするエレベータかごである。
【００１８】
本発明によれば、各エプロンが案内部材に沿って移動することができるので、乗り場またはピットから第２開口穴および第３開口穴を利用して任意のエプロンを上下に移動でき、エプロン下方の空間を確保することができる。
【００１９】
本発明は、エレベータかごにおいて、かご床と、前記かご床の前端に敷居受けを介して設けられた敷居と、前記敷居受けに設けられたエプロンとを備え、前記エプロンは上部エプロンと、下部エプロンと、上部エプロンと下部エプロンとの間に位置する複数の中間エプロンとからなり、上部エプロン、下部エプロンおよび各中間エプロンは互いに蝶番により連結され、前記かご床と前記下部エプロンとは振れ止め部材により連結され、前記下部エプロンのうち振れ止め部材近傍に、第４開口穴を設けたことを特徴とするエレベータかごである。
【００２０】
本発明によれば、蝶番を介して連結された各エプロンを乗場またはピットから蛇腹状に畳み込むことができるので、エプロン下方の空間を確保することができる。
【００２１】
本発明は、エレベータかごにおいて、かご床と、前記かご床の前端に敷居受けを介して設けられた敷居と、前記敷居受けに設けられたエプロンとを備え、前記エプロンは上部エプロンと、下部エプロンと、上部エプロンと下部エプロンとの間に位置する複数の中間エプロンとからなり、上部エプロン、下部エプロンおよび各中間エプロンは互いに摺動自在に連結されるとともに、パンタグラフ機構により駆動され、前記かご床と前記下部エプロンとは振れ止め部材により連結されることを特徴とするエレベータかごである。
【００２２】
本発明によれば、各エプロンをパンタグラフ機構により、乗場またはピットから上下に移動できるので、エプロン下方の空間を確保することができる。
【００２３】
【発明の実施の形態】
第１の実施の形態
以下、図面を参照して本発明の実施の形態について説明する。
図１、図２および図９により、本発明によるエレベータかごの第１の実施の形態について説明する。
【００２４】
まず図９により、エレベータ全体について説明する。
図９は、階床数が２つの２方向の出入口を有するエレベータ全体の縦断面を示している。
【００２５】
図９において、エレベータは、建屋内に垂直な空間として形成される昇降路１と、昇降路１の最下部空間を構成しているピット２と、昇降路１の建屋垂直方向と平行に設置されたレール３と、昇降路１内をレール３に沿って移動するエレベータかご７とを備えている。
【００２６】
レール３の上部に巻上機４が配置され、巻上機４にメインロープ５が巻き付けられている。メインロープ５の一端にカウンターウェイト６が設けられるとともに、メインロープ５の他端に本発明によるエレベータかご７が設けられている。
【００２７】
このうち、本発明によるエレベータかご７は、下部に設置されたかご床８と、かご床８の上部に立設したかご室９とを備えている。また、最下階１０の出入口には最下階乗場ドア１１が設置され、最上階１２の出入口には最上階乗場ドア１３が設置されている。
【００２８】
次に、図１および図２により、エレベータかご７のかご床８について詳述する。このうち図１はエレベータかご７のかご床８の前端部を示す図である。
【００２９】
図１において、かご床８は、かご床８の表面を形成している床仕上材１４と、床仕上材１４の下部に配設された床材１５と、床材１５の下面に紙面に直交して設けられた複数の床補強１６とを有している。かご床８の最前端部の床材１５の下部に敷居受け１７が設けられ、敷居受け１７の上部に敷居１８が設けられている。また敷居１８の下部の敷居受け１７に、溶接ナット１９とボルト２０を介してエプロン２９が設けられている。
【００３０】
さらに最前側の床補強１６の前側に、振れ止め部材取付部２２が設けられ、これ振れ止め部材取付部２２にボルト２３により振れ止め部材２４が連結されている。
【００３１】
またエプロン２９は、上部エプロン３０と下部エプロン３１に分割され、このうち上部エプロン３０は、上記の振れ止め部材２４にボルト２３により連結され、このようにして敷居受け１７と上部エプロン３０は振れ止め部材２４を介して互いに連結されている。さらに、下部エプロン３１の上面は、上部エプロン３０の下面と接触し、上部エプロン３０と下部エプロン３１はチョウボルト３２とナット３３により締結されている。
【００３２】
図２は、エプロン２９の斜視図を示している。このうち図２（ａ）は、上部エプロン３０を、図２（ｂ）は、下部エプロン３１を各々示している。
【００３３】
図２（ｂ）において、下部エプロン３１の上側には折り曲げ部３４が形成され、折り曲げ部３４には、上部エプロン３０と締結する為の穴３５が形成されている。下部エプロン３１の上側の穴３５の近傍位置には、第１開口穴３６が設けられている。図２（ａ）において、上部エプロン３０の下側には折り曲げ部３７が形成され、折り曲げ部３７には、下部エプロン３１と締結する為の穴３８が形成されている。
【００３４】
また、上部エプロン３０には、その上部に一列に配置された複数のだるま穴２６と、高さ方向中央部に形成された折り曲げ部２５とが設けられている。また折り曲げ部２５の切欠き部分に高さ方向に長い形状をした貫通穴２７が形成されるとともに、折り曲げ部２５の下部に溶接ナット２８が取付けられ、振れ止め部材２４はボルト２３を溶接ナット２８に嵌込むことより上部エプロン３０に固定される。
【００３５】
次にこのような構成からなる本実施の形態の作用について説明する。
作業員が保守点検作業を行う場合、乗り場１０，１２からは第１開口穴３６を利用して締結されたチョウボルト３２を取り外し、ピットからは直にチョウボルト３２を取り外す。このことにより、下部エプロン３１を上部エプロン３０から取り外すことができる。このため乗場またはピットから下部エプロン３１を容易に取り外すことができ、エプロン下方の空間を確保することができる。
【００３６】
第２の実施の形態
次に本発明による第２の実施の形態について図３により説明する。図３において、図１、図２および図９に示す第１の実施の形態と同一部分には同一符号を付けて詳細な説明は省略する。
【００３７】
図３において、エプロン２９の上部エプロン３０の折り曲げ部３７に、リミットＳＷ４０が設けられている。他は図１、図２および図９に示す第１の実施の形態と略同一である。
【００３８】
通常は、上部エプロン３０と下部エプロン３１は、折り曲げ部３７，３４の穴３８，３５に挿入された複数のチョウボルト３２とナット３３により締結されている（図１および図２参照）。
【００３９】
リミットＳＷ４０は、中央に位置したチョウボルト３２により、リミットＳＷレバー４１が押し上げられて接点が入る様になっている。
【００４０】
図３において、下部エプロン３１を上部エプロン３０から取り外す時に、図１に示すチョウボルト３２を取り外すと、リミットＳＷレバー４１が下がり、リミットＳＷ４０の接点が切れた状態となる。
【００４１】
リミットＳＷ４０の接点が切れると、巻上機４のブレーキが作動し、エレベータかご７は昇降できないので、作業員に対する安全性を高めることができる。この場合、乗場１０，１２またはピット２から下部エプロン３１を容易に取り外すことができ、エプロン下方の空間を確保することができる。
【００４２】
第３の実施の形態
次に本発明による第３の実施の形態について図４により説明する。図４において、図１，図２および図９に示す第１の実施の形態と同一部分には同一符号を付けて詳細な説明は省略する。
【００４３】
図４において、エプロン２９の下部エプロン３１には、下部エプロン３１の任意の場所に複数の横方向に細長く延びる第２開口穴４３が形成されている。他は図１，図２および図９に示す第１の実施の形態と略同一である。
【００４４】
図４において、下部エプロン３１を上部エプロン３０から取り外す際、作業者は第２開口穴４３に手を入れる事が出来るため、下部エプロン３１の取り外し作業が容易になり、作業性が向上する。また第２開口穴４３により作業者が下部エプロン３１を支持することができ、下部エプロン３１の落下の危険性を防止でき、安全性を高めることができる。このため作業者は安全かつ容易に作業ができ、エプロン下方の空間を確保することができる。
【００４５】
第４の実施の形態
次に本発明による第４の実施の形態について図５により説明する。図５において、図１，図２および図９に示す第１の実施の形態と同一部分には同一符号を付けて詳細な説明は省略する。
【００４６】
図５に示すようにかご床８の前端部において、敷居受け１７の側面に一対の案内部材４４が設けられ、この一対の案内部材４４の内側には、複数に分割されたエプロン２９が摺動自在に支持されいる。
【００４７】
すなわちエプロン２９は、上部エプロン３０と、下部エプロン３１と、上部エプロン３０と下部エプロン３１との間に位置する中間エプロン４７とを有している。このうち上部エプロン３０は、図１の上部エプロン３０と同様の構成により、振れ止め部材２４によってかご床８に固設されている。中間エプロン４７の上下部には、折り曲げ部４８が形成され、下部エプロン３１の上部には、折り曲げ部３４が形成されている。
【００４８】
下部エプロン３１と中間エプロン４７には、図５の図面上では図示されていないが、図４に示すエプロン２９と同様、任意の場所に複数の横方向に細長い第２開口穴および第３開口穴が各々形成されている（図４参照）。
【００４９】
図５において、作業者は、下部エプロン３１および中間エプロン４７の第２開口穴および第３開口穴に手を入れ、下部エプロン３１と中間エプロン４７を案内部材４４に沿って、上下に移動する。このため、作業が容易になり、作業性が向上する。またエプロン２９の中間エプロン４７および下部エプロン３０に各々折り曲げ部４８，３４を設けたことにより、エプロン２９の落下を防止することができ、安全性を向上することができる。このため作業者は安全且つ容易に作業ができ、エプロン下方の空間を確保することができる。
【００５０】
第５の実施の形態
次に本発明による第５の実施の形態について、図６により説明する。図６において、図１，図２および図９に示す第１の実施の形態と同一部分には同一符号を付けて詳細な説明は省略する。
【００５１】
図６において、エプロン２９は上部エプロン３０と、下部エプロン３１と、上部エプロン３０と下部エプロン３１との間に位置する複数の中間エプロン５４とを有している。このうち上部エプロン３０の下側と、下部エプロン３１の上側と、複数の中間エプロン５４の上下側には蝶番５５が取り付けられ、上部エプロン３０、下部エプロン３１、中間エプロン５４は互いに連結されている。また、下部エプロン３１は、図２（ａ）に示す上部エプロン３０と同様に、折り曲げ部２５と貫通穴２７と溶接ナット２８とを有している。このためエプロン２９の下部エプロン３１とかご床８の間を、ボルト２３，２３により固定された振れ止め部材２４により互いに連結することができる。
【００５２】
図６において、ボルト２３を取り外して下部エプロン３１から振れ止め部材２４を取り外す。次に下部エプロン３１と中間エプロン５４とを蛇腹状に上方向に容易に畳み込む。この場合、エプロン２９の上部エプロン３０、下部エプロン３１および中間エプロン５４はかご床８に固設されている為、完全に落下せず、安全性を向上することができる。作業者は安全且つ容易に作業ができ、エプロン下方の空間を確保することができる。
【００５３】
第６の実施の形態
次に本発明による第６の実施の形態について図７および図８により説明する。図７および図８において、図１、図２および図９に示す第１の実施の形態と同一部分には同一符号を付けて説明する。
【００５４】
図７において、エプロン２９は上部エプロン３０と、下部エプロン３１と、上部エプロン３０と下部エプロン３１との間に位置する複数の中間エプロン５４とを有している。上部エプロン３０と中間エプロン５４と下部エプロン３１は、パンタグラフ機構６１により連結されている。
【００５５】
図８はエプロン２９の背面を示している。図８において、パンタグラフ機構６２は、対向配置された一対のくの字状からなるリンク６２を有している。リンク６２は上下各両端部において上部エプロン３０と、下部エプロン３１に回転自在に軸支され、中心軸６３において中間エプロン５４に設けられたレール６４に沿って横方向に摺動するようになっている。
【００５６】
各リンク６２の交叉点には、交叉したアーム６６を係止するピン６５が取付けられており、このピン６５は各アーム６６の長さ方向に設けられたスリット６７に沿い移動できる。また下部エプロン３１には、図４の第２開口穴４３と同様な第２開口穴４３が設けられている。さらに上部エプロン３０には図２（ａ）の上部エプロン３０と同様、折り曲げ部２５と、貫通穴２７と、溶接ナット２８とが設けられている。
【００５７】
図７および図８において、エプロン２９の上部エプロン３０、下部エプロン３１、中間エプロン５４は、互いにパンタグラフ機構６１により連結され、かご床８に固設されている。このため上部エプロン３０、下部エプロン３１および中間エプロン５４は、完全に落下せず、安全性を向上することができる。作業者は、第２開口穴４３を利用することにより、下部エプロン３１、中間エプロン５４を上方向に上げることが可能である。作業者は安全且つ容易に作業ができ、エプロン下方の空間を確保することができる。
【００５８】
【発明の効果】
以上説明したように本発明によれば、大型の駆動装置を必要とせず、作業者は安全且つ容易に作業ができ、エプロン下方の空間を確保することができる。
【図面の簡単な説明】
【図１】本発明によるエレベータかごの第１の実施の形態を説明するためのかご床の前端部を示す図。
【図２】本発明によるエレベータかごの第１の実施の形態を説明するためのエプロンの斜視図。
【図３】本発明によるエレベータかごの第２の実施の形態を説明するための上部エプロンの斜視図。
【図４】本発明によるエレベータかごの第３の実施の形態を説明するための下部エプロンの斜視図。
【図５】本発明によるエレベータかごの第４の実施の形態を説明するためのかご床の前端部を示す図。
【図６】本発明によるエレベータかごの第５の実施の形態を説明するためのかご床の前端部を示す図。
【図７】本発明によるエレベータかごの第６の実施の形態を説明するためのかご床の前端部を示す図。
【図８】本発明によるエレベータかごの第６の実施の形態を説明するためのエプロン背面図。
【図９】エレベータ全体の縦断面図。
【図１０】従来のエレベータかごのかご床の前端部を示す図。
【図１１】従来のエレベータかごのエプロンの斜視図。
【符号の説明】
７  エレベータかご
８  かご床
９  かご室
１０  最下階
１１  最下階乗場ドア
１２  最上階
１３  最上階乗場ドア
１４  床仕上材
１５  床材
１６  床補強
１７  敷居受け
１８  敷居
１９  溶接ナット
２０  ボルト
２２  振れ止め部材取付部
２３  ボルト
２４  振れ止め部材
２５  折り曲げ部
２６  だるま穴
２７  貫通穴
２８  溶接ナット
２９  エプロン
３０  上部エプロン
３１  下部エプロン
３２  チョウボルト
３３  ナット
３４  折り曲げ部
３５  穴
３６  第１開口穴
３７  折り曲げ部
３８  穴
４０  リミットＳＷ
４１  リミットＳＷレバー
４３  第２開口穴
４４  案内部材
４７  中間エプロン
４８  折り曲げ部
５０  折り曲げ部
５４  中間エプロン
５５  蝶番
６１  パンタグラフ機構
６２  リンク
６３  中心軸
６４  レール
６５  ピン
６６  アーム
６７  スリット
【図１】
2004244188.tif 000003
【図２】
2004244188.tif 000004
【図３】
2004244188.tif 000005
【図４】
2004244188.tif 000006
【図５】
2004244188.tif 000007
【図６】
2004244188.tif 000008
【図７】
2004244188.tif 000009
【図８】
2004244188.tif 000010
【図９】
2004244188.tif 000011
【図１０】
2004244188.tif 000012
【図１１】
2004244188.tif 000013